(57)【要約】【課題】インキの供給量の調整を短時間で完了し、損紙の発生を少なくする。【解決手段】印刷物（例えば、校正刷り）の濃度値を測定し、測定濃度値と基準濃度値との差を零とすべき基準の補正量を求め、この基準の補正量に予め定められた補正係数を乗じて補正量とし、この補正量を現在のインキツボキーの開き量に加え、予備呼出し時のインキツボキーの開き量とする。インキツボキーの開き量を予備呼出し時の開き量とした状態で、かつ印刷を行わない状態で、インキ移しローラの呼出し動作を所定回数行う。なお、基準の補正量を現在のインキツボキーの開き量に加えて予備呼出し時のインキツボキーの開き量とするなどとしてもよい。【選択図】  図１
2007030348.tif 000002
【特許請求の範囲】
【請求項１】
インキツボキーを複数備え、これらインキツボキーの開き量の調整によってインキツボ内よりインキツボローラに供給されるインキの供給量を調整し、このインキツボローラに供給されたインキをインキ移しローラの呼出し動作によって少なくとも１つのインキローラを介して刷版へ供給し、この刷版へ供給されたインキを印刷用紙に印刷する印刷機のインキ供給量調整方法において、
前記印刷された印刷用紙の濃度値を測定する濃度値測定工程と、
前記測定された印刷用紙の濃度値と予め設定されている基準濃度値との差に基づいて前記インキツボキーの開き量を補正するインキツボキー開き量補正工程と、
前記インキツボキーの開き量が補正された状態で、かつ印刷を行わない状態で、前記インキ移しローラの呼出し動作を行わせ、前記少なくとも１つのインキローラ上に残るインキにインキを重畳させる又は前記少なくとも１つのインキローラ上に残るインキをインキツボに戻す予備呼出し工程と
を備えたことを特徴とする印刷機のインキ供給量調整方法。
【請求項２】
請求項１に記載された印刷機のインキ供給量調整方法において、
前記インキツボキー開き量補正工程は、
前記測定された印刷用紙の濃度値と予め設定されている基準濃度値との差を零とすべき基準の補正量を求め、この基準の補正量を現在の前記インキツボキーの開き量に加える
ことを特徴とする印刷機のインキ供給量調整方法。
【請求項３】
請求項１に記載された印刷機のインキ供給量調整方法において、
前記インキツボキー開き量補正工程は、
前記測定された印刷用紙の濃度値と予め設定されている基準濃度値との差を零とすべき基準の補正量を求め、この基準の補正量をその正負方向が同じでかつ絶対値が大きい補正量とし、この補正量を現在の前記インキツボキーの開き量に加える
ことを特徴とする
印刷機のインキ供給量調整方法。
【請求項４】
請求項１に記載された印刷機のインキ供給量調整方法において、
前記インキツボキー開き量補正工程は、
前記測定された印刷用紙の濃度値と予め設定されている基準濃度値との差を零とすべき基準の補正量を求め、この基準の補正量に予め定められた係数を乗じて補正量とし、この補正量を現在の前記インキツボキーの開き量に加える
ことを特徴とする
印刷機のインキ供給量調整方法。
【請求項５】
請求項４に記載された印刷機のインキ供給量調整方法において、
前記基準の補正量に乗じる係数は、１より大きい値である
ことを特徴とする印刷機のインキ供給量調整方法。
【請求項６】
請求項１に記載された印刷機のインキ供給量調整方法において、
前記印刷は、校正刷りの印刷である
ことを特徴とする印刷機のインキ供給量調整方法。
【請求項７】
インキツボキーを複数備え、これらインキツボキーの開き量の調整によってインキツボ内よりインキツボローラに供給されるインキの供給量を調整し、このインキツボローラに供給されたインキをインキ移しローラの呼出し動作によって少なくとも１つのインキローラを介して刷版へ供給し、この刷版へ供給されたインキを印刷用紙に印刷する印刷機のインキ供給量調整装置において、
前記印刷された印刷用紙の濃度値を測定する濃度値測定手段と、
前記測定された印刷用紙の濃度値と予め設定されている基準濃度値との差に基づいて前記インキツボキーの開き量を補正するインキツボキー開き量補正手段と、
前記インキツボキーの開き量が補正された状態で、かつ印刷を行わない状態で、前記インキ移しローラの呼出し動作を行わせ、前記少なくとも１つのインキローラ上に残るインキにインキを重畳させる又は前記少なくとも１つのインキローラ上に残るインキをインキツボに戻す予備呼出し手段と
を備えたことを特徴とする印刷機のインキ供給量調整装置。
【請求項８】
請求項７に記載された印刷機のインキ供給量調整装置において、
前記インキツボキー開き量補正手段は、
前記測定された印刷用紙の濃度値と予め設定されている基準濃度値との差を零とすべき基準の補正量を求め、この基準の補正量を現在の前記インキツボキーの開き量に加える
ことを特徴とする印刷機のインキ供給量調整装置。
【請求項９】
請求項７に記載された印刷機のインキ供給量調整装置において、
前記インキツボキー開き量補正手段は、
前記測定された印刷用紙の濃度値と予め設定されている基準濃度値との差を零とすべき基準の補正量を求め、この基準の補正量をその正負方向が同じでかつ絶対値が大きい補正量とし、この補正量を現在の前記インキツボキーの開き量に加える
ことを特徴とする印刷機のインキ供給量調整装置。
【請求項１０】
請求項７に記載された印刷機のインキ供給量調整装置において、
前記インキツボキー開き量補正手段は、
前記測定された印刷用紙の濃度値と予め設定されている基準濃度値との差を零とすべき基準の補正量を求め、この基準の補正量に予め定められた係数を乗じて補正量とし、この補正量を現在の前記インキツボキーの開き量に加える
ことを特徴とする印刷機のインキ供給量調整装置。
【請求項１１】
請求項１０に記載された印刷機のインキ供給量調整装置において、
前記基準の補正量に乗じる係数は、１より大きい値である
ことを特徴とする印刷機のインキ供給量調整装置。
【請求項１２】
請求項７に記載された印刷機のインキ供給量調整装置において、
前記印刷は、校正刷りの印刷である
ことを特徴とする印刷機のインキ供給量調整装置。
【発明の詳細な説明】
【技術分野】
【０００１】
この発明は、インキツボキーの開き量を調整することによって刷版へのインキの供給量を調整する印刷機のインキ供給量調整方法および装置に関するものである。
【背景技術】
【０００２】
図４２に輪転印刷機における各色の印刷ユニット内のインキ装置（インカー）の要部を示す。同図において、１はインキツボ、２はインキツボ１に蓄えられたインキ、３はインキツボローラ、４（４−１〜４−ｎ）はインキツボローラ３の軸方向に複数並設して設けられたインキツボキー、５はインキ移しローラ、６はインキローラ群、７は版胴８に装着された刷版であり、刷版７には絵柄が焼き付けられている。
【０００３】
このインキ装置では、インキツボキー４−１〜４−ｎとインキツボローラ３との間よりインキツボ１内のインキ２をインキツボローラ３に供給し、このインキツボローラ３に供給されたインキをインキ移しローラ５の呼び出し動作によりインキローラ群６を介して刷版７へ供給する。この刷版７に供給されたインキが図示されていないゴム胴を介して印刷用紙に印刷される。
【０００４】
図４３にこの印刷機によって印刷された印刷物を示す。印刷物９には、絵柄領域９−１を除く余白部に、帯状のカラーバー９−２が印刷される。カラーバー９−２は、一般の４色刷りの場合、墨（スミ）、シアン（アイ）、マゼンタ（アカ）、イエロー（キ）の濃度測定用のパッチ（網点面積率１００％のベタパッチ）９ａ１，９ａ２，９ａ３，９ａ４を含む領域Ｓ１〜Ｓｎから構成される。領域Ｓ１〜Ｓｎは、印刷機における各色の印刷ユニットにおけるインキツボキー４−１〜４−ｎのキーゾーンに対応している。
【０００５】
〔色合わせ〕
各色の印刷ユニットに対しては基準の濃度値が予め設定されている。すなわち、スミ，アイ，アカ，キの各色に対して基準の濃度値が予め設定されており、印刷物９の印刷に際しては、各色の濃度値をこの基準濃度値に一致させるような色合わせ作業が行われる。この色合わせ作業は、印刷物９に印刷されたカラーバー９−２における各色の濃度測定用のパッチ９ａ（９ａ１，９ａ２，９ａ３，９ａ４）の濃度に基づき、試刷りや校正刷りなどの印刷を行う場合にインキ供給量調整装置によって行われる。
【０００６】
例えば、印刷物９における領域Ｓ１を代表して説明すると、試刷りや校正刷りなどの印刷中に抜き取った印刷物９の各色の濃度測定用のパッチ９ａの濃度値を測定し、この測定した各色の濃度値と予め設定されている各色の基準濃度値との濃度差を求め、この求めた各色の濃度差より各色の印刷ユニットにおけるインキツボキー４−１の開き量の補正量（領域Ｓ１へのインキ供給量の補正量）を求め、この求めた補正量をフィードバック量として各色の印刷ユニットにおけるインキツボキー４−１の開き量を調整する。
【０００７】
同様にして、領域Ｓ２〜Ｓｎについても、各色の印刷ユニットにおけるインキツボキー４−２〜４−ｎの開き量の補正量（領域Ｓ２〜Ｓｎへのインキ供給量の補正量）を求め、この求めた補正量をフィードバック量として各色の印刷ユニットにおけるインキツボキー４−２〜４−ｎの開き量を調整する。そして、このインキツボキー４−１〜４−ｎの開き量を調整した状態で、直ぐに試刷りや校正刷りなどの印刷を再開し、各色の濃度値が基準の濃度値となるまで同様動作を繰り返す（特許文献１参照）。
【０００８】
【特許文献１】特開２００３−１１８０７７号公報
【特許文献２】特開平１０−１６１９３号公報
【特許文献３】特開昭５８−２０１００８号公報
【特許文献４】特開昭５８−２０１０１０号公報
【発明の開示】
【発明が解決しようとする課題】
【０００９】
しかしながら、上述した従来のインキ供給量調整方法では、インカー内のインキ搬送経路（インキツボローラからゴム胴までの搬送経路）が長いため、印刷物へのインキ供給量を調整する場合、インキ供給量の調整結果が実際の印刷物に反映され、補正した濃度で安定した状態になるまでに、インキ供給量が調整されてから約１００枚の印刷を必要とする。
【００１０】
特に、数枚の正常に印刷された印刷物を得る校正刷りの印刷を行う場合には、数枚の正常に印刷された印刷物を印刷するのに対して、非常に多くの時間がかかると共に大量の損紙が発生するという問題が生じていた。
【００１１】
このため、本出願人は、校正刷りの印刷においては、インキツボキーの開き量の補正量を大きくして（補正量が正の場合にはより大きく開くようにし、負の場合にはより小さく開くようにする）、印刷物の濃度変化を大きくし、印刷物の濃度が変化している間、すなわち印刷物の濃度が安定する前に印刷を行い、その印刷された印刷物の中から丁度良い濃度の印刷物を選び、校正刷りとしている。
【００１２】
しかし、この方法では、うまく必要な枚数の校正刷りが得られなかった場合、校正刷りの印刷を再開することになるが、通常よりも大きめにインキ供給量を補正したため、その後の印刷物の濃度が正常な濃度より外れた濃度で安定してしまう。このため、また同じことを繰り返さなければならず、時間がかかり、印刷資材も無駄となる。
【００１３】
なお、他の方法として特許文献２に示された「プレインキング（＋）」のように、次の試刷りの開始前に濃度差分だけインキツボローラの回転量を大きくし、その状態で不足分のインキを供給することが行われているが、紙面全体に対して同じ割合でインキが供給され、部分的な調整ができず、特にインキが余分に供給されている部分と不足している部分が混在している場合、うまく調整することができない。
【００１４】
本発明は、このような課題を解決するためになされたもので、その目的とするところは、インキの供給量の調整を短時間で完了し、損紙の発生を少なくすることができる印刷機のインキ供給量調整方法および装置を提供することにある。
【課題を解決するための手段】
【００１５】
このような目的を達成するために本発明は、インキツボキーを複数備え、これらインキツボキーの開き量の調整によってインキツボ内よりインキツボローラに供給されるインキの供給量を調整し、このインキツボローラに供給されたインキをインキ移しローラの呼出し動作によって少なくとも１つのインキローラを介して刷版へ供給し、この刷版へ供給されたインキを印刷用紙に印刷する印刷機のインキ供給量調整方法において、印刷された印刷用紙の濃度値を測定する濃度値測定工程と、測定された印刷用紙の濃度値と予め設定されている基準濃度値との差に基づいてインキツボキーの開き量を補正するインキツボキー開き量補正工程と、インキツボキーの開き量が補正された状態で、かつ印刷を行わない状態で、インキ移しローラの呼出し動作を行わせ、少なくとも１つのインキローラ上に残るインキにインキを重畳させる又は少なくとも１つのインキローラ上に残るインキをインキツボに戻す予備呼出し工程とを設けたものである。なお、本発明は、この方法を適用した装置としても構成することができる。
【００１６】
この発明によれば、印刷された印刷用紙（印刷物）の濃度値が測定され、この測定された印刷物の濃度値（測定濃度値）と基準濃度値との差に基づいてインキツボキーの開き量が補正される。ここで、インキツボキーの開き量の補正後、従来は直ぐに印刷を再開するようにしていたが、本発明では、インキツボキーの開き量が補正された状態で、かつ印刷を行わない状態で、インキ移しローラの呼出し動作を行わせる。この場合、測定濃度値が基準濃度値よりも小さければ、インキツボキーの開き量が大きくされ、不足分のインキがインキ搬送経路に供給されて、印刷を再開する場合の印刷濃度の反応を速くすることが可能となる。また、測定濃度値が基準濃度値よりも大きければ、インキツボキーの開き量が小さくされ、余分なインキがインキ搬送経路からインキツボ内に戻され、印刷を再開する場合の印刷濃度の反応を速くすることが可能となる。
【００１７】
なお、本発明では、測定濃度値と基準濃度値との差に基づいてインキツボキーの開き量を補正するが、測定濃度値と基準濃度値との差を零とすべき基準の補正量を求め、この基準の補正量を現在のインキツボキーの開き量に加えるようにしてもよく、基準の補正量をその正負方向が同じでかつ絶対値が大きい補正量とし、この補正量を現在のインキツボキーの開き量に加えるようにしてもよい。また、測定濃度値と基準濃度値との差を零とすべき基準の補正量を求め、この基準の補正量に予め定められた係数を乗じて補正量とし、この補正量を現在のインキツボキーの開き量に加えるようにしてもよい。本発明において、インキツボキーの開き量に加える補正量は、正の値をとることもあるし、負の値をとることもある。補正量が正であった場合、現在のインキツボキーの開き量は大きくなり、補正量が負であった場合、現在のインキツボキーの開き量は小さくなる。
【発明の効果】
【００１８】
本発明によれば、インキツボキーの開き量が補正された状態で、かつ印刷を行わない状態で、インキ移しローラの呼出し動作を行わせるようにしたので、不足分のインキをインキ搬送経路に供給するようにしたり、余分なインキをインキ搬送経路からインキツボ内に戻すようにして、試刷りや校正刷りの印刷を再開する場合の印刷濃度の反応を速くすることが可能となり、インキの供給量の調整を短時間で完了し、損紙の発生を少なくすることができるようになる。
【発明を実施するための最良の形態】
【００１９】
以下、本発明を図面に基づいて詳細に説明する。
〔実施の形態１〕
図１はこの発明の実施に用いる校正刷り制御装置のブロック図である。この校正刷り制御装置１０は、ＣＰＵ１０Ａ、ＲＡＭ１０Ｂ、ＲＯＭ１０Ｃ、入力装置１０Ｄ、表示器１０Ｅ、出力装置１０Ｆ、メモリ１０Ｇ、測色計１０Ｈ、測色計移動用モータ１０Ｉ、測色計移動用モータ用のロータリーエンコーダ１０Ｊ、測色計移動用のモータドライバ１０Ｋ、測色計現在位置測定用のカウンタ１０Ｌ、Ａ／Ｄ変換器１０Ｍ、Ｄ／Ａ変換器１０Ｎ、測色計原点位置検出器１０Ｐ、内部クロックカウンタ１０Ｑ、印刷機の原動モータ１０Ｒ、印刷機の原動モータ用のドライバ１０Ｓ、印刷機の原動モータ用のロータリーエンコーダ１０Ｔ、Ｆ／Ｖ変換器１０Ｕ、Ａ／Ｄ変換器１０Ｖ、印刷機の原点位置検出器１０Ｗ、印刷機の総回転数カウント用のカウンタ１０Ｘ、給紙装置１０Ｙおよび入出力インターフェイス（Ｉ／Ｏ，Ｉ／Ｆ）１０−１〜１０−１１を備えている。
【００２０】
ＣＰＵ１０Ａは、インターフェイス１０−１〜１０−１１を介して与えられる各種入力情報を得て、ＲＡＭ１０Ｂやメモリ１０Ｇにアクセスしながら、ＲＯＭ１０Ｃに格納されたプログラムに従って動作する。入力装置１０Ｄには、校正刷りプリセットスイッチＳＷ１、校正刷りスタートスイッチＳＷ２、校正刷り再プリセットスイッチＳＷ３、制御終了スイッチＳＷ４などが設けられている。
【００２１】
ロータリーエンコーダ１０Ｊは、測色計移動用モータ１０Ｉの所定回転数（角度）毎に回転パルスを発生してカウンタ１０Ｌに出力する。ロータリーエンコーダ１０Ｔは、印刷機の原動モータ１０Ｒの所定回転数（角度）毎に回転パルスを発生してＦ／Ｖ変換器１０Ｕおよび原動モータドライバ１０Ｓに出力する。
【００２２】
なお、図１において、１３（１３−１〜１３−ｍ）は各色の印刷ユニット、１４（１４−１〜１４−ｍ）は各色のインキ呼出し装置、１５（１５−１〜１５−ｍ）は各色のインキツボローラ制御装置、１６（１６−１〜１６−ｎ）は各色の各インキツボキー制御装置である。
【００２３】
インキ呼出し装置１４（１４−１〜１４−ｍ）は、図４２に示した各色のインキ移しローラ５に対応して各個に設けられている。インキツボローラ制御装置１５（１５−１〜１５−ｍ）は、図４２に示した各色のインキツボローラ３に対応して各個に設けられている。インキツボキー制御装置１６（１６−１〜１６−ｎ）は、図４２に示した各色の各インキツボキー４（４−１〜４−ｎ）に対応して各個に設けられている。
【００２４】
図２および図３にメモリ１０Ｇの内容を分割して示す。メモリ１０ＧにはメモリＭ１〜Ｍ２８が設けられる。メモリＭ１には校正刷りの枚数が記憶される。メモリＭ２には各色の正方向の補正値に対する補正係数（＞１）が記憶される。メモリＭ３には各色の負方向の補正値に対する補正係数（＞１）が記憶される。メモリＭ４には各色の予備呼出し回数が記憶される。メモリＭ５には測色計によって測定すべき校正刷りサンプルのカラーバーの各色の各パッチの位置が記憶される。メモリＭ６には校正刷りの各色の各インキツボキーに対応する範囲の絵柄面積率が記憶される。
【００２５】
メモリＭ７には各色のインキツボローラの基準の回転量が記憶される。メモリＭ８には各色のインキツボローラの回転量が記憶される。メモリＭ９には各色の絵柄面積率とインキツボキーの開き量との関係を示す各色の絵柄面積率−インキツボキー開き量変換テーブルが記憶される。メモリＭ１０には各インキツボキーの開き量が記憶される。メモリＭ１１には印刷機の設定速度１（低速）が記憶される。メモリＭ１２には印刷機の設定速度２（高速）が記憶される。メモリＭ１３には印刷機の原動モータ用のロータリーエンコーダに接続されたＦ／Ｖ変換器の出力が記憶される。
【００２６】
メモリＭ１４には現在の印刷機の回転速度が記憶される。メモリＭ１５には印刷機の総回転数カウント用のカウンタの値が記憶される。メモリＭ１６には測色計の現在位置測定用のカウンタの値が記憶される。メモリＭ１７には測色計の現在位置が記憶される。メモリＭ１８には測色計からの色データが記憶される。メモリＭ１９には校正刷りサンプルの各色の各パッチの濃度値が記憶される。メモリＭ２０には、カラーバーの各色の基準濃度値が記憶される。
【００２７】
メモリＭ２１には校正刷りサンプルの各色の各パッチの濃度値と各色の基準濃度値との差（測定濃度差）が記憶される。メモリＭ２２には各色の濃度差とインキツボキーの開き量の補正量との関係を示す各色の濃度差−インキツボキー開き量の補正量変換テーブルが記憶される。メモリＭ２３には各色の各インキツボキーの開き量の基準の補正量が記憶される。メモリＭ２４には予備呼出し時の各色の各インキツボキーの開き量の補正量が記憶される。
【００２８】
メモリＭ２５には校正刷り時の各色の各インキツボキーの開き量が記憶される。メモリＭ２６には予備呼出し時の各色の各インキツボキーの開き量が記憶される。メモリＭ２７には第１待機時間のカウント値が記憶される。メモリＭ２８には第２待機時間のカウント値が記憶される。
【００２９】
測色計１０Ｈは、図４に示すように、支柱１７−１，１７−２間に設けられたボールネジ（送りねじ）１７−３に取り付けられている。ボールネジ１７−３は測色計移動用モータ１０Ｉによって正／逆回転する。このボールネジ１７−３の正／逆回転により、ボールネジ１７−３に案内されながら、測色計１０Ｈが支柱１７−１，１７−２間を移動する。測色計１０Ｈのヘッド部１０Ｈ1 は測定台１７−４の測定対象が置かれる面１７−４ａに向けられている。
【００３０】
〔実施の形態１の概略的な動作〕
実施の形態１の詳細な動作の説明に入る前に、理解を容易とするために、その概略について説明しておく。
(１)各データを入力する。
(２)校正刷りプリセットスイッチＳＷ１をオンとし、入力された絵柄面積率より各インキツボキーの開き量を求め、設定すると共に、各インキツボローラの送り量を基準値に設定する。
(３)印刷機の回転数を設定速度１（低速）に設定する。
(４)校正刷りスタートスイッチＳＷ２をオンとし、印刷機の回転数を設定速度２（高速）に設定し、設定された枚数の校正刷りを行い、その後、印刷機の回転数を設定速度１（低速）に設定する。
【００３１】
(５)校正刷り再プリセットスイッチＳＷ３をオンとし、印刷された校正刷りの各カラーパッチの濃度を測定し、測定した各カラーパッチの濃度と基準濃度との濃度差を求める。
(６)求めた濃度差より各インキツボキーの開き量の基準の補正量および予備呼出し時の補正量を求める。
(７)各インキツボキーの現在の開き量に基準の補正量を加算し、校正刷り時の各インキツボキーの開き量を求めると共に、各インキツボキーの現在の開き量に予備呼出し時の補正量を加算し、予備呼出し時の各インキツボキーの開き量を求める。
【００３２】
(８)各インキツボローラの送り量を基準値に設定すると共に、各インキツボキーの開き量を（７）で求めた予備呼出し時の開き量に設定し、印刷機の回転数を設定速度２（高速）に設定し、その状態で印刷機を設定された第１待機時間の間空転させる。
(９)インキ呼出し装置を設定された回数だけ動作させて（予備呼出しを行い）、印刷機のインキ装置にインキを供給し、その後、印刷機を設定された第２待機時間の間空転させる。
(１０)印刷機の回転数を設定速度１（低速）に設定すると共に、各インキツボキーの開き量を(７)で求めた校正刷り時の開き量に設定する。
(１１)校正刷りスタートスイッチＳＷ２を再度オンとし、印刷機の回転数を設定速度２（高速）に設定し、設定された枚数の校正刷りを行い、その後、印刷機の回転数を設定速度１（低速）に設定する。
(１２)満足できる校正刷りが得られるまで、（５）〜（１１）の動作を繰り返す。
【００３３】
〔実施の形態１の詳細な動作〕
〔データの入力〕
オペレータは、校正刷りの印刷に先立って、校正刷りの枚数を入力装置１０Ｄから入力する（図５：ステップ１０１）。また、各色の正方向の補正値に対する補正係数、各色の負方向の補正値に対する補正係数、各色の予備呼出し回数、校正刷りサンプルのカラーバーの各色の各パッチの位置を入力装置１０Ｄから入力する（ステップ１０３、１０５、１０７、１０９）。
【００３４】
ＣＰＵ１０Ａは、入力された校正刷りの枚数をメモリＭ１に格納し（ステップ１０２）、各色の正方向の補正値に対する補正係数をメモリＭ２に格納し（ステップ１０４）、各色の負方向の補正値に対する補正係数をメモリＭ３に格納し（ステップ１０６）、各色の予備呼出し回数をメモリＭ４に格納する（ステップ１０８）。
【００３５】
また、入力された校正刷りサンプルのカラーバーの各色の各パッチの位置に基づき、測色計によって測定すべき校正刷りサンプルのカラーバーの各色の各パッチの位置、すなわちカラーバーにおける濃度測定用の各色の各パッチの位置（測定位置）を演算し、演算した測定位置をメモリＭ５に格納する（ステップ１１０、１１１）。
【００３６】
次に、オペレータは、校正刷りの各色の各インキツボキーに対応する範囲の絵柄面積率、すなわち各色の各インキツボキーに対応する校正刷りを行おうとする印刷物の各刷版の各ゾーン毎の絵柄面積率を入力する（ステップ１１２）。この例では、出力装置１０Ｆに、各色の各インキツボキーに対応する各刷版の各領域毎の絵柄面積率が書き込まれたフレキシブルディスクをセットする。ＣＰＵ１０Ａは、この出力装置１０Ｆにセットされたフレキシブルディスクから各色の各インキツボキーに対応する各刷版の各領域毎の絵柄面積率を読み出し、メモリＭ６に格納する。
【００３７】
なお、この実施の形態において、刷版の各ゾーン毎の絵柄面積率の測定には、本出願人による特許文献３や特許文献４に示されているような「絵柄面積率測定装置」を用いており、この「絵柄面積率測定装置」を用いて測定した絵柄面積率をフレキシブルディスクに書き込み、この絵柄面積率が書き込まれたフレキシブルディスクを出力装置１０Ｆにセットする。なお、ＣＰＵ１０Ａと「絵柄面積率測定装置」とをオンラインで結び、「絵柄面積率測定装置」から直接、新刷版の各ゾーン毎の絵柄面積率を取り込むようにしてもよい。
【００３８】
〔校正刷りのプリセット〕
次に、オペレータは、校正刷りプリセットスイッチＳＷ１をオンとする。校正刷りプリセットスイッチＳＷ１がオンとされる（図６：ステップ１１４）、ＣＰＵ１０Ａは、メモリＭ７より各色のインキツボローラの基準の回転量を読み出し（ステップ１１５）、校正刷り時の各色のインキツボローラの回転量としてメモリＭ８にセットすると共に（ステップ１１６）、各色のインキツボローラ制御装置１５に送信する（ステップ１１７）。これにより、各色の印刷ユニット１３において、インキツボローラ３の回転量が基準の回転量とされる。
【００３９】
また、ＣＰＵ１０Ａは、メモリＭ６より校正刷りの各色の各インキツボキーに対応する範囲の絵柄面積率を読み出し（ステップ１１８）、メモリＭ９中の各色の絵柄面積率−インキツボキー開き量変換テーブルを用いて、校正刷りの各色の各インキツボキーに対応する範囲の絵柄面積率より、各色の各インキツボキーの開き量を求め、校正刷り時の各色の各インキツボキーの開き量（１回目）としてメモリＭ１０にセットすると共に（ステップ１１９，１２０）、各色の各インキツボキー制御装置１６に送信する（ステップ１２１）。これにより、各色の印刷ユニット１３において、インキツボキー４−１〜４−ｎの開き量が校正刷り時の開き量とされる。
【００４０】
ＣＰＵ１０Ａは、全てのインキツボキー制御装置１６からインキツボキーの開き量の校正刷り時の開き量への修正完了信号を受けると（図７：ステップ１２２のＹＥＳ）、メモリＭ１１より印刷機の設定速度１を読み出し（ステップ１２３）、印刷機の原動モータドライバ１０Ｓへ与える（ステップ１２４）。そして、Ｆ／Ｖ変換器１０Ｕの出力電圧を読み取り（ステップ１２５）、このＦ／Ｖ変換器１０Ｕの出力電圧より現在の印刷機の回転数を算出し（ステップ１２６）、メモリＭ１１から読み出した設定速度１と比較する（ステップ１２７）。このステップ１２４〜１２７の動作を繰り返すことにより、印刷機の回転数を設定速度１（低速）とする。
【００４１】
〔校正刷りのスタート〕
次に、オペレータは、校正刷りスタートスイッチＳＷ２をオンとする。校正刷りスタートスイッチＳＷ２がオンとされる（図６：ステップ１２８）、ＣＰＵ１０Ａは、メモリＭ１２より印刷機の設定速度２を読み出し（図８：ステップ１２９）、印刷機の回転数を設定速度２（高速）とする（ステップ１３０〜１３３）。
【００４２】
そして、各色のインキ呼出し装置１４に動作指令を送り（ステップ１３４）、各色の印刷ユニット１３に印刷開始指令を送り（ステップ１３５）、給紙装置１０Ｙに給紙開始指令を送る（ステップ１３６）。また、印刷機の総回転数カウント用のカウンタ１０Ｘにリセット信号およびイネーブル信号を送り（ステップ１３７）、カウンタ１０Ｘのカウント動作をスタートさせる（ステップ１３８）。これにより、カウンタ１０Ｘのカウント値を零として、校正刷りが開始される。
【００４３】
そして、ＣＰＵ１０Ａは、メモリＭ１から校正刷りの枚数を読み出し（ステップ１３９）、カウンタ１０Ｘのカウント値（印刷枚数）がメモリＭ１から読み出した校正刷りの枚数と等しくなれば（ステップ１４１のＹＥＳ）、給紙装置１０Ｙに給紙停止指令を送り（図９：ステップ１４２）、各色の印刷ユニット１３に印刷停止指令を送り（ステップ１４３）、各色のインキ呼出し装置１４に停止指令を送り（ステップ１４４）、印刷機の回転数を設定速度１（低速）として（ステップ１４５〜１４９）、校正刷りの印刷を終了する。
【００４４】
〔校正刷りの再プリセット〕
オペレータは、刷り上がった印刷物（校正刷り）の中からその１枚を抜き取り、測定台１７−４（図４）上に校正刷りのサンプル９’としてセットする。このセット状態において、校正刷りサンプル９’のカラーバー９−２は、測色計１０Ｈのヘッド部１０Ｈ1 の下面に位置する。
【００４５】
〔色データの採取〕
この状態で、オペレータは、校正刷り再プリセットスイッチＳＷ３をオンとする。この校正刷り再プリセットスイッチＳＷ３のオンにより（図６：ステップ１５０のＹＥＳ）、ＣＰＵ１０Ａは、測色計移動用モータ１０Ｉを正転させる（図１０：ステップ１５１）。測色計移動用モータ１０Ｉの正転によりボールネジ１７−３が正転し、このボールネジ１７−３に案内されて測色計１０Ｈが支柱１７−１に接する原点位置から支柱１７−２方向へ向けて移動する。
【００４６】
ＣＰＵ１０Ａは、測色計現在位置測定用のカウンタ１０Ｌのカウント値を読み込み（ステップ１５２）、この読み込んだカウント値より測色計１０Ｈの現在位置を演算し（ステップ１５３）、この現在位置がメモリＭ５に記憶されている最初の測定位置に達したときに（ステップ１５５のＹＥＳ）、その測定位置に位置するパッチ９ａの色データを測色計１０Ｈにより採取し、採取した色データをメモリＭ１８に格納する（ステップ１５６，１５７）。
【００４７】
以下同様にして、ＣＰＵ１０Ａは、メモリＭ５に記憶されている測定位置に達するごとに、その測定位置に位置するパッチ９ａの色データを測色計１０Ｈにより採取し、採取した色データをメモリＭ１８に格納して行く。すなわち、ＣＰＵ１０Ａは、測色計１０Ｈを自動走査制御することによって、校正刷りサンプル９’のカラーバー９−２の濃度測定用の各色の各パッチ９ａの色データを次々に採取して行く。
【００４８】
ＣＰＵ１０Ａは、校正刷りサンプル９’のカラーバー９−２の全てのパッチ９ａの色データ採取が完了したか否かを判断し（ステップ１５８）、採取完了により、測色計移動用モータ１０Ｉの正転を停止させる（図１１：ステップ１５９）。次に、測色計移動用モータ１０Ｉを逆転させ（ステップ１６０）、測色計１０Ｈを原点位置へ復帰させた後（ステップ１６１のＹＥＳ）、測色計移動用モータ１０Ｉの逆転を停止させる（ステップ１６２）。
【００４９】
〔濃度差の算出〕
ＣＰＵ１０Ａは、メモリＭ１８に格納された各色の各パッチ９ａの色データより各色の各パッチ９ａの濃度値を算出し、これを測定濃度値としてメモリＭ１９に格納する（ステップ１６３）。本実施の形態では、測色計１０Ｈとして分光計を使用しており、濃度計で各色のベタパッチを測定する時に用いるフィルタの各波長の透過率を分光計からの各波長の出力値に掛け、それらを合計することによって各色の濃度値を求めるようにしている。
【００５０】
そして、メモリＭ２０から各色の基準濃度値を読み出し（ステップ１６４）、各色の基準濃度値よりメモリＭ１９に格納されている各色の各パッチ９ａの測定濃度値を減算し、これを校正刷りサンプル９’の各色の各パッチ９ａの測定濃度差としてメモリＭ２１に格納する（ステップ１６５）。
【００５１】
〔インキツボキーの開き量の基準の補正量および予備呼出し時の補正量の算出〕
次に、ＣＰＵ１０Ａは、メモリＭ２２より最初の色の濃度差−インキツボキー開き量の補正量変換テーブルを読み出し（図１２：ステップ１６６）、メモリＭ２１より校正刷りサンプル９’の最初の色の最初のパッチの測定濃度差を読み出し（ステップ１６７）、最初の色の濃度差−インキツボキー開き量の補正量変換テーブルを用いて、校正刷りサンプル９’の最初の色の最初のパッチの測定濃度差より、最初の色の最初のインキツボキーの開き量の基準の補正量を求め、メモリＭ２３に格納する（ステップ１６８）。
【００５２】
そして、その最初の色の最初のインキツボキーの開き量の基準の補正量の正／負をチェックし（ステップ１６９）、正（≧０）である場合には、メモリＭ２より最初の色の正方向の補正値に対する補正係数（＞１）を読み出し（ステップ１７０）、この補正係数を最初の色の最初のインキツボキーの開き量の基準の補正量に乗じ、予備呼出し時の最初の色の最初のインキツボキーの開き量の補正量としてメモリＭ２４に格納する（ステップ１７１）。
【００５３】
ステップ１６９において、最初の色の最初のインキツボキーの開き量の基準の補正量が負（＜０）である場合には、メモリＭ３より最初の色の負方向の補正値に対する補正係数（＞１）を読み出し（ステップ１７２）、この補正係数を最初の色の最初のインキツボキーの開き量の基準の補正量に乗じ、予備呼出し時の最初の色の最初のインキツボキーの開き量の補正量としてメモリＭ２４に格納する（ステップ１７３）。
【００５４】
次に、ＣＰＵ１０Ａは、メモリＭ２１より校正刷りサンプル９’の最初の色の次のパッチの測定濃度差を読み出し（図１３：ステップ１７４）、最初の色の濃度差−インキツボキー開き量の補正量変換テーブルを用いて、校正刷りサンプル９’の最初の色の次のパッチの測定濃度差より、最初の色の次のインキツボキーの開き量の基準の補正量を求め、メモリＭ２３に格納する（ステップ１７５）。
【００５５】
そして、最初の色の次のインキツボキーの開き量の基準の補正量の正／負をチェックし（ステップ１７６）、正（≧０）である場合には、メモリＭ２より最初の色の正方向の補正値に対する補正係数（＞１）を読み出し（ステップ１７７）、この補正係数を最初の色の次のインキツボキーの開き量の基準の補正量に乗じ、予備呼出し時の最初の色の次のインキツボキーの開き量の補正量としてメモリＭ２４に格納する（ステップ１７８）。
【００５６】
ステップ１７６において、最初の色の次のインキツボキーの開き量の基準の補正量が負（＜０）である場合には、メモリＭ３より最初の色の負方向の補正値に対する補正係数（＞１）を読み出し（ステップ１７９）、この補正係数を最初の色の次のインキツボキーの開き量の基準の補正量に乗じ、予備呼出し時の最初の色の次のインキツボキーの開き量の補正量としてメモリＭ２４に格納する（ステップ１８０）。
【００５７】
ＣＰＵ１０Ａは、ステップ１７４〜１８１の処理を、メモリＭ２１中の校正刷りサンプル９’の最初の色の全てのパッチの測定濃度差について繰り返す。そして、最初の色と同様にして、メモリＭ２１中の校正刷りサンプル９’の全ての色の全てのパッチの測定濃度差について、インキツボキーの開き量の基準の補正量を求め、その基準の補正量の正／負を判断し、正／負方向に応じた補正係数を乗じ、予備呼出し時のインキツボキーの補正量としてメモリＭ２４に格納する（ステップ１８２〜１９９（図１４、図１５））。
【００５８】
〔予備呼出し時のインキツボキーの開き量および校正刷り時のインキツボキーの開き量の算出〕
そして、ＣＰＵ１０Ａは、メモリＭ１０より最初の色の最初のインキツボキーの開き量（現在の開き量）を読み出し（図１６：ステップ２００）、メモリＭ２３より最初の色の最初のインキツボキーの開き量の基準の補正量を読み出し（ステップ２０１）、最初の色の最初のインキツボキーの開き量（現在の開き量）に最初の色の最初のインキツボキーの開き量の基準の補正量を加算し、校正刷り時の最初の色の最初のインキツボキーの開き量としてメモリＭ２５に格納する（ステップ２０２）。
【００５９】
また、メモリＭ１０より最初の色の最初のインキツボキーの開き量（現在の開き量）を読み出し（ステップ２０３）、メモリＭ２４より予備呼出し時の最初の色の最初のインキツボキーの開き量の補正量を読み出し（ステップ２０４）、最初の色の最初のインキツボキーの開き量（現在の開き量）に予備呼出し時の最初の色の最初のインキツボキーの開き量の補正量を加算し、予備呼出し時の最初の色の最初のインキツボキーの開き量としてメモリＭ２６に格納する（ステップ２０５）。
【００６０】
次に、ＣＰＵ１０Ａは、メモリＭ１０より最初の色の次のインキツボキーの開き量（現在の開き量）を読み出し（ステップ２０６）、メモリＭ２３より最初の色の次のインキツボキーの開き量の基準の補正量を読み出し（ステップ２０７）、最初の色の次のインキツボキーの開き量（現在の開き量）に最初の色の次のインキツボキーの開き量の基準の補正量を加算し、校正刷り時の最初の色の次のインキツボキーの開き量としてメモリＭ２５に格納する（ステップ２０８）。
【００６１】
また、メモリＭ１０より最初の色の次のインキツボキーの開き量（現在の開き量）を読み出し（ステップ２０９）、メモリＭ２４より予備呼出し時の最初の色の次のインキツボキーの開き量の補正量を読み出し（ステップ２１０）、最初の色の次のインキツボキーの開き量（現在の開き量）に予備呼出し時の最初の色の次のインキツボキーの開き量の補正量を加算し、予備呼出し時の最初の色の次のインキツボキーの開き量としてメモリＭ２６に格納する（ステップ２１１）。
【００６２】
ＣＰＵ１０Ａは、ステップ２０６〜２１２の処理を、メモリＭ１０中の最初の色の全てのインキツボキーの開き量（現在の開き量）に対して繰り返す。そして、最初の色と同様にして、メモリＭ１０中の全ての色の全てのインキツボキーの開き量（現在の開き量）について、校正刷り時のインキツボキーの開き量を求めてメモリＭ２５に格納し、予備呼出し時のインキツボキーの開き量を求めてメモリＭ２６に格納する（ステップ２１３〜２２７（図１７））。
【００６３】
〔予備呼出し時の開き量への修正〕
全ての色について処理が完了すると（ステップ２２７のＹＥＳ）、ＣＰＵ１０Ａは、メモリＭ７より各色のインキツボローラの基準の回転量を読み出し、各色のインキツボローラ制御装置１５に送信することにより、各色の印刷ユニット１３におけるインキツボローラ３の回転量を基準の回転量とする（図１８：ステップ２２８〜２３０）。
【００６４】
また、メモリＭ２６より予備呼出し時の各色の各インキツボキーの開き量を読み出し、この予備呼出し時の各色のインキツボキーの開き量をメモリＭ１０にセットすると共に、各色の各インキツボキー制御装置１６に送信することにより、各色の印刷ユニットにおけるインキツボキー４−１〜４−ｎの開き量を予備呼出し時の開き量に修正する（ステップ２３１〜２３３）。
【００６５】
ＣＰＵ１０Ａは、全てのインキツボキー制御装置１６からインキツボキーの開き量の予備呼出し時の開き量への修正完了信号を受けると（ステップ２３４のＹＥＳ）、メモリＭ１２より印刷機の設定速度２を読み出し（ステップ２３５）、印刷機の回転速度を設定速度２（高速）とする（ステップ２３６〜２３９）。
【００６６】
そして、内部クロックカウンタ１０Ｑにリセット信号およびイネーブル信号を送り（図１９：ステップ２４０）、内部クロックカウンタ１０Ｑのカウント動作をスタートさせる（ステップ２４１）。そして、メモリＭ２７より第１待機時間のカウント値を読み出し（ステップ２４２）、内部クロックカウンタ１０Ｑのカウント値が第１待機時間のカウント値に達するまで待つ（ステップ２４３、２４４）。これにより、第１待機時間の間、印刷機は設定速度２（高速）とされた状態で空転する。
【００６７】
〔予備呼出し〕
第１待機時間が経過すると、ＣＰＵ１０Ａは、内部クロックカウンタ１０Ｑへのイネーブル信号を停止し（ステップ２４５）、各色のインキ呼出し装置１４に動作指令を送る（ステップ２４６）。また、印刷機の総回転数カウント用のカウンタ１０Ｘにリセット信号およびイネーブル信号を送り（ステップ２４７）、カウンタ１０Ｘのカウント動作をスタートさせる（ステップ２４８）。これにより、カウンタ１０Ｘのカウント値を零として、各色の印刷ユニット１３においてインキ移しローラ５の呼出し動作が開始される。すなわち、各色の印刷ユニット１３において、インキツボキー４−１〜４−ｎの開き量が予備呼出し時の開き量とされた状態で、かつ印刷を行わない状態で、インキ移しローラ５の呼出し動作（予備呼出し動作）が開始される。
【００６８】
ＣＰＵ１０Ａは、この各色のインキ移しローラ５の呼出し動作中、各色の予備呼出し回数をメモリＭ４から読み出し、カウンタ１０Ｘのカウント値と比較する（ステップ２４９〜２５１）。そして、カウンタ１０Ｘのカウント値がどれかの色の予備呼出し回数と等しくなれば（ステップ２５１のＹＥＳ）、対応する色のインキ呼出し装置１４に停止指令を送る（ステップ２５２）。以下同様にして、カウンタ１０Ｘのカウント値が全ての色の予備呼出し回数と等しくなるまで、ステップ２４９〜２５３の動作を繰り返す。
【００６９】
これにより、各色の印刷ユニット１３において、測定濃度値が基準濃度値よりも小さい領域では、インキツボキー４の開き量が大きくされ、不足分のインキがインキローラ群６に供給されるものとなる。また、測定濃度値が基準濃度値よりも大きい領域では、インキツボキー４の開き量が小さくされ、余分なインキがインキローラ群６からインキツボ１内に戻されるものとなる。
すなわち、測定濃度値が基準濃度値よりも小さい領域ではインキローラ群６上に残るインキに更にインキを重畳させ、インキローラ群６上のインキを増加させ、測定濃度値が基準濃度値よりも大きい領域ではインキローラ群６上に残るインキの一部をインキツボ２に戻し、インキローラ群６上のインキを減少させる。
【００７０】
全ての色の印刷ユニット１３において予備呼出し動作が完了すると（ステップ２５３のＹＥＳ）、ＣＰＵ１０Ａは、全てのインキ呼出し装置１４に停止指令を出力した後（ステップ２５３のＹＥＳ）、内部クロックカウンタ１０Ｑにリセット信号およびイネーブル信号を送り（図２０：ステップ２５４）、内部クロックカウンタ１０Ｑのカウント動作をスタートさせ（ステップ２５５）、メモリＭ２８より第２待機時間のカウント値を読み出し（ステップ２５６）、第２待機時間の間、印刷機を空転させる（ステップ２５７、２５８）。
【００７１】
〔校正刷り時の開き量への修正〕
ＣＰＵ１０Ａは、第２待機時間の経過後（ステップ２５８のＹＥＳ）、内部クロックカウンタ１０Ｑへのイネーブル信号を停止し（ステップ２５９）、印刷機の回転数を設定速度１（低速）とする（ステップ２６０〜２６４）。
【００７２】
そして、メモリＭ２５より校正刷り時の各色のインキツボキーの開き量を読み出し（ステップ２６５）、これを２回目の校正刷り時の各色のインキツボキーの開き量としてメモリＭ１０にセットすると共に（ステップ２６６）、各色の各インキツボキー制御装置１６に送信する（ステップ２６７）。これにより、各色の印刷ユニット１３において、インキツボキー４−１〜４−ｎの開き量が２回目の校正刷り時の開き量とされる。
【００７３】
〔校正刷りのスタート（２回目）〕
この後、オペレータは、校正刷りスタートスイッチＳＷ２を再度オンとする。校正刷りスタートスイッチＳＷ２がオンとされる（図６：ステップ１２８）、ＣＰＵ１０Ａは、印刷機の回転数を設定速度２（高速）とし（図８：ステップ１２９〜１３３）、２回目の校正刷りの印刷を行い（ステップ１３４〜１４４）、その後、印刷機の回転数を設定速度１（低速）とする（ステップ１４５〜１４９）。
【００７４】
以下同様にして、満足できる校正刷りが得られるまで、「校正刷りの再プリセット」、「校正刷りのスタート」を繰り返す。本実施の形態において、再度行う校正刷りの印刷では、その前の「校正刷りの再プリセット」によって、各色の印刷ユニット１３において、測定濃度値が基準濃度値よりも小さい領域では不足分のインキがインキローラ群６に供給されており、測定濃度値が基準濃度値よりも大きい領域では余分なインキがインキローラ群６からインキツボ１内に戻されている。したがって、校正刷りの印刷を再開する場合の印刷濃度の反応が早くなり、インキの供給量の調整を短時間で完了し、損紙の発生を少なくすることができる。
【００７５】
特に、この実施の形態で１は、インキツボキーの開き量の基準の補正量に予め定められた補正係数（＞１）を乗じて補正量とし、この補正量を現在のインキツボキーの開き量に加えて予備呼出し時のインキツボキーの開き量としているので、すなわち基準の補正量が正の場合にはインキツボキーをより大きく開くようにし、基準の補正量が負の場合にはインキツボキーをより小さく開くようにするようにしているので、より迅速に正常な校正刷りを得ることができるという利点がある。
【００７６】
なお、基準の補正量に予め定められた補正係数を乗じるのではなく、基準の補正量に予め定められた値を加えるなどして、その正負方向が同じでかつ絶対値が大きい補正量とし、この補正量を現在のインキツボキーの開き量に加えて予備呼出し時のインキツボキーの開き量とするようにしてもよい。
【００７７】
〔インキツボローラ制御装置〕
図２１にインキツボローラ制御装置１５（１５−１〜１５−ｎ）の内部構成の概略を示す。インキツボローラ制御装置１５は、ＣＰＵ１５Ａ、ＲＡＭ１５Ｂ、ＲＯＭ１５Ｃ、インキツボローラ駆動用モータ１５Ｄ、インキツボローラ駆動用モータドライバ１５Ｅ、インキツボローラ駆動用モータ用のロータリーエンコーダ１５Ｆ、Ｆ／Ｖ変換器１５Ｇ、Ａ／Ｄ変換器１５Ｈ、入出力インターフェイス（Ｉ／Ｏ，Ｉ／Ｆ）１５Ｉ，１５Ｊ、メモリ１５Ｋ，１５Ｌを備えており、インターフェイス１５Ｊを介して校正刷り制御装置１０と接続されている。メモリ１５Ｋには受信したインキツボローラの回転量が記憶される。メモリ１５Ｌには目標とするインキツボローラの送り量が記憶される。
【００７８】
ＣＰＵ１５Ａは、校正刷り制御装置１０よりインキツボローラの回転量が送られてくると（図２２：ステップ３０１のＹＥＳ）、その受信した回転量をメモリ１５Ｋに記憶する（ステップ３０２）。また、受信したインキツボローラの回転量を目標とするインキツボローラの送り量（目標回転量）としてメモリ１５Ｌに記憶する。そして、メモリ１５Ｌから目標回転量を読み出し（ステップ３０４）、インキツボローラ駆動用モータドライバ１５Ｅへ送り、インキツボローラ駆動用モータ１５Ｄの回転量を目標回転量に合わせ込む（ステップ３０６）。
【００７９】
〔インキツボキー制御装置〕
図２３にインキツボキー制御装置１６（１６−１〜１６−ｎ）の内部構成の概略を示す。インキツボキー制御装置１６は、ＣＰＵ１６Ａ、ＲＡＭ１６Ｂ、ＲＯＭ１６Ｃ、インキツボキー駆動用モータ１６Ｄ、インキツボキー駆動用モータドライバ１６Ｅ、インキツボキー駆動用モータ用のロータリーエンコーダ１６Ｆ、カウンタ１６Ｇ、入出力インターフェイス（Ｉ／Ｏ，Ｉ／Ｆ）１６Ｈ，１６Ｉ、メモリ１６Ｊ〜１６Ｍを備えており、インターフェイス１６Ｉを介して校正刷り制御装置１０と接続されている。メモリＭ１６Ｊには受信したインキツボキーの開き量が記憶される。メモリ１６Ｋには目標とするインキツボキーの開き量が記憶される。メモリ１６Ｌにはカウンタ１６Ｇのカウント値が記憶される。メモリ１６Ｍには現在のインキツボキーの開き量が記憶される。
【００８０】
ＣＰＵ１６Ａは、校正刷り制御装置１０よりインキツボキーの開き量が送られてくると（図２４：ステップ４０１のＹＥＳ）、その受信した開き量をメモリ１６Ｊに記憶するとともに（ステップ４０２）、その受信した開き量を目標とする開き量としてメモリ１６Ｋに記憶する（ステップ４０３）。そして、カウンタ１６Ｇのカウント値を読み取り（ステップ４０４）、この読み取ったカウンタ１６Ｇのカウント値より現在のインキツボキーの開き量を求め（ステップ４０５）、現在のインキツボキーの開き量が目標とする開き量と同じであれば（図２５：ステップ４０６のＹＥＳ）、直ちにステップ４１４へ進み、校正刷り制御装置１０へインキツボキーの開き量の修正完了信号を出力する。
【００８１】
現在のインキツボキーの開き量が目標とする開き量と同じでない場合には（ステップ４０６のＮＯ）、現在のインキツボキーの開き量が目標とする開き量（修正された開き量）と同じになるまでインキツボキー駆動用モータ１６Ｄを駆動した後（ステップ４０７〜４１３）、校正刷り制御装置１０へインキツボキーの開き量の修正完了信号を出力する（ステップ４１４）。
【００８２】
〔実施の形態２〕
実施の形態１では、インキツボキーの開き量の基準の補正量に予め定められた補正係数（＞１）を乗じて補正量とし、この補正量を現在のインキツボキーの開き量に加えて予備呼出し時のインキツボキーの開き量とするようにした。これに対して、実施の形態２では、インキツボキーの開き量の基準の補正量を現在のインキツボキーの開き量に加えて予備呼出し時のインキツボキーの開き量とする。この場合、予備呼出し時の各色の各インキツボキーの開き量と次回行う校正刷り時の各色の各インキツボキーの開き量とは同じとなり、予備呼出し後にインキツボキーの開き量を修正する必要はない。
【００８３】
〔実施の形態２の概略的な動作〕
(１)各データを入力する。
(２)校正刷りプリセットスイッチＳＷ１をオンとし、入力された絵柄面積率より各インキツボキーの開き量を求め、設定すると共に、各インキツボローラの送り量を基準値に設定する。
(３)印刷機の回転数を設定速度１（低速）に設定する。
(４)校正刷りスタートスイッチＳＷ２をオンとし、印刷機の回転数を設定速度２（高速）に設定し、設定された枚数の校正刷りを行い、その後、印刷機の回転数を設定速度１（低速）に設定する。
【００８４】
(５)校正刷り再プリセットスイッチＳＷ３をオンとし、印刷された校正刷りの各カラーパッチの濃度を測定し、測定した各カラーパッチの濃度と基準濃度との濃度差を求める。
(６)求めた濃度差より各インキツボキーの開き量の基準の補正量を求める。
(７)各インキツボキーの現在の開き量に基準の補正量を加算し、予備呼出し及び校正刷り時の各インキツボキーの開き量を求める。
【００８５】
(８)各インキツボローラの送り量を基準値に設定すると共に、各インキツボキーの開き量を（７）で求めた予備呼出し及び校正刷り時の開き量に設定し、印刷機の回転数を設定速度２（高速）に設定し、その状態で印刷機を設定された第１待機時間の間空転させる。
(９)インキ呼出し装置を設定された回数だけ動作させて（予備呼出しを行い）、印刷機のインキ装置にインキを供給し、その後、印刷機を設定された第２待機時間の間空転させる。
(１０)印刷機の回転数を設定速度１（低速）に設定する。
(１１)校正刷りスタートスイッチＳＷ２を再度オンとし、印刷機の回転数を設定速度２（高速）に設定し、設定された枚数の校正刷りを行い、その後、印刷機の回転数を設定速度１（低速）に設定する。
(１２)満足できる校正刷りが得られるまで、（５）〜（１１）の動作を繰り返す。
【００８６】
参考として、図２８〜図４１に、実施の形態２のフローチャートを示す。この実施の形態２では、図１に示した校正刷り制御装置１０のメモリ１０Ｇの内容を図２６および図２７に分割して示すように、各色の正方向の補正値に対する補正係数記憶用のメモリＭ２、各色の負方向の補正値に対する補正係数記憶用のメモリＭ３、校正刷り時の各色の各インキツボキーの開き量記憶用のメモリＭ２５、予備呼出し時の各色の各インキツボキーの開き量記憶用のメモリＭ２６を省略し、メモリＭ２４に代えて予備呼出し及び校正刷り時の各色の各インキツボキーの開き量記憶用のメモリＭ２４’を用いる。
【００８７】
図２８〜図４１に示したフローチャートにおいて、ステップ５０１〜５４９（図２８〜図３２）の処理は、実施の形態１におけるステップ１０１〜１４９（図５〜図９）の処理に対応している。実施の形態２においても、実施の形態１と同様にして、「データの入力」、「校正刷りのプリセット」、「校正刷りのスタート」を行う。実施の形態１と異なるところは、「校正刷りの再プリセット」であり、ステップ５５０（図２６）以降の処理内容が一部異なっている。
【００８８】
ステップ５５０以降の処理において、ステップ５５１〜５６８（図３３〜図３５）までの処理は実施の形態１におけるステップ１５１〜１６８（図１０〜図１２）までの処理動作に対応しており、ステップ５６９以降の処理が実施の形態１と異なっている。以下、ステップ５６９以降の処理について説明する。
【００８９】
ＣＰＵ１０Ａは、メモリＭ２１から校正刷りサンプル９’の最初の色の次のパッチの測定濃度差を読み出し（ステップ５６９）、最初の色の濃度差−インキツボキー開き量の補正量変換テーブルを用いて、校正刷りサンプル９’の最初の色の次のパッチの測定濃度差より、最初の色の次のインキツボキーの開き量の基準の補正量を求め、メモリＭ２３に格納する（ステップ５７０）。
【００９０】
ＣＰＵ１０Ａは、ステップ５６９〜５７１の処理を、メモリＭ２１中の校正刷りサンプル９’の最初の色の全てのパッチの測定濃度差について繰り返す。そして、最初の色と同様にして、メモリＭ２１中の校正刷りサンプル９’の全ての色の全てのパッチの測定濃度差について、インキツボキーの開き量の基準の補正量を求め、メモリＭ２３に格納する（ステップ５７２〜５７９（図３６））。
【００９１】
〔予備呼出し及び校正刷り時のインキツボキーの開き量の算出〕
そして、ＣＰＵ１０Ａは、メモリＭ１０より最初の色の最初のインキツボキーの開き量（現在の開き量）を読み出し（図３７：ステップ５８０）、メモリＭ２３より最初の色の最初のインキツボキーの開き量の基準の補正量を読み出し（ステップ５８１）、最初の色の最初のインキツボキーの開き量（現在の開き量）に最初の色の最初のインキツボキーの開き量の基準の補正量を加算し、予備呼出し及び校正刷り時の最初の色の最初のインキツボキーの開き量としてメモリＭ２４’に格納する（ステップ５８２）。
【００９２】
次に、ＣＰＵ１０Ａは、メモリＭ１０より最初の色の次のインキツボキーの開き量（現在の開き量）を読み出し（ステップ５８３）、メモリＭ２３より最初の色の次のインキツボキーの開き量の基準の補正量を読み出し（ステップ５８４）、最初の色の次のインキツボキーの開き量（現在の開き量）に最初の色の次のインキツボキーの開き量の基準の補正量を加算し、予備呼出し及び校正刷り時の最初の色の次のインキツボキーの開き量としてメモリＭ２４’に格納する（ステップ５８５）。
【００９３】
ＣＰＵ１０Ａは、ステップ５８３〜５８６の処理を、メモリＭ１０中の最初の色の全てのインキツボキーの開き量（現在の開き量）に対して繰り返す。そして、最初の色と同様にして、メモリＭ１０中の全ての色の全てのインキツボキーの開き量（現在の開き量）について、基準の補正量を加算して予備呼出し及び校正刷り時のインキツボキーの開き量としてメモリＭ２４’に格納する（ステップ５８７〜５９５（図３８））。
【００９４】
〔予備呼出し及び校正刷り時の開き量への修正〕
全ての色について処理が完了すると（ステップ５９５のＹＥＳ）、ＣＰＵ１０Ａは、メモリＭ７より各色のインキツボローラの基準の回転量を読み出し、各色のインキツボローラ制御装置１５に送信することにより、各色の印刷ユニット１３におけるインキツボローラ３の回転量を基準の回転量とする（図３９：ステップ５９６〜５９８）。
【００９５】
また、メモリＭ２４’より予備呼出し及び校正刷り時の各色の各インキツボキーの開き量を読み出し、この予備呼出し及び校正刷り時の各色のインキツボキーの開き量をメモリＭ１０にセットすると共に、各色の各インキツボキー制御装置１６に送信することにより、各色の印刷ユニットにおけるインキツボキー４−１〜４−ｎの開き量を予備呼出し及び校正刷り時の開き量に修正する（ステップ５９９〜６０１）。
【００９６】
ＣＰＵ１０Ａは、全てのインキツボキー制御装置１６からインキツボキーの開き量の予備呼出し及び校正刷り時の開き量への修正完了信号を受けると（ステップ６０２のＹＥＳ）、メモリＭ１２より印刷機の設定速度２を読み出し（ステップ６０３）、印刷機の回転速度を設定速度２（高速）とする（ステップ６０３〜６０７）。
【００９７】
そして、内部クロックカウンタ１０Ｑにリセット信号およびイネーブル信号を送り（図４０：ステップ６０８）、内部クロックカウンタ１０Ｑのカウント動作をスタートさせる（ステップ６０９）。そして、メモリＭ２７より第１待機時間のカウント値を読み出し（ステップ６１０）、内部クロックカウンタ１０Ｑのカウント値が第１待機時間のカウント値に達するまで待つ（ステップ６１１、６１２）。これにより、第１待機時間の間、印刷機は設定速度２（高速）とされた状態で空転する。
【００９８】
〔予備呼出し〕
第１待機時間が経過すると、ＣＰＵ１０Ａは、内部クロックカウンタ１０Ｑへのイネーブル信号を停止し（ステップ６１３）、各色のインキ呼出し装置１４に動作指令を送る（ステップ６１４）。また、印刷機の総回転数カウント用のカウンタ１０Ｘにリセット信号およびイネーブル信号を送り（ステップ６１５）、カウンタ１０Ｘのカウント動作をスタートさせる（ステップ６１６）。これにより、カウンタ１０Ｘのカウント値を零として、各色の印刷ユニット１３においてインキ移しローラ５の呼出し動作が開始される。すなわち、各色の印刷ユニット１３において、インキツボキー４−１〜４−ｎの開き量が予備呼出し及び校正刷り時の開き量とされた状態で、かつ印刷を行わない状態で、インキ移しローラ５の呼出し動作が開始される。
【００９９】
ＣＰＵ１０Ａは、この各色のインキ移しローラ５の呼出し動作中、各色の予備呼出し回数をメモリＭ４から読み出し、カウンタ１０Ｘのカウント値と比較する（ステップ６１７〜６１９）。そして、カウンタ１０Ｘのカウント値がどれかの色の予備呼出し回数と等しくなれば（ステップ６１９のＹＥＳ）、対応する色のインキ呼出し装置１４に停止指令を送る（ステップ６２０）。以下同様にして、カウンタ１０Ｘのカウント値が全ての色の予備呼出し回数と等しくなるまで、ステップ６１７〜６２１の動作を繰り返す。
【０１００】
全ての色の印刷ユニット１３において予備呼出し動作が完了すると（ステップ６２１のＹＥＳ）、ＣＰＵ１０Ａは、内部クロックカウンタ１０Ｑにリセット信号およびイネーブル信号を送り（図４１：ステップ６２２）、内部クロックカウンタ１０Ｑのカウント動作をスタートさせ（ステップ６２３）、メモリＭ２８より第２待機時間のカウント値を読み出し（ステップ６２４）、第２待機時間の間、印刷機を空転させる（ステップ６２５、６２６）。そして、第２待機時間経過後（ステップ６２６のＹＥＳ）、内部クロックカウンタ１０Ｑへのイネーブル信号を停止し（ステップ６２７）、印刷機の回転数を設定速度１（低速）とする（ステップ６２８〜６３２）。
【０１０１】
なお、上述した実施の形態１や実施の形態２では校正刷りの印刷を行う場合を例にとって説明したが、試刷りなどの印刷を行う場合にも同様にして適用することが可能である。
また、輪転印刷機における各色の印刷ユニット内のインキ装置の構成としては、図４２のように、インキローラ群６が複数のインキローラから構成されるもので説明したが、インキローラ群６がただ１つのインキローラから構成されるインキ装置でも良いことは、言うまでもない。
【図面の簡単な説明】
【０１０２】
【図１】本発明の実施に用いる校正刷り制御装置のブロック図である。
【図２】実施の形態１の校正刷り制御装置におけるメモリの内容を分割して示す図である。
【図３】実施の形態１の校正刷り制御装置におけるメモリの内容を分割して示す図である。
【図４】測色計の設置状況を示す側面図である。
【図５】実施の形態１の校正刷り制御装置の処理動作を示すフローチャートである。
【図６】実施の形態１の校正刷り制御装置の処理動作を示すフローチャートである。
【図７】実施の形態１の校正刷り制御装置の処理動作を示すフローチャートである。
【図８】実施の形態１の校正刷り制御装置の処理動作を示すフローチャートである。
【図９】実施の形態１の校正刷り制御装置の処理動作を示すフローチャートである。
【図１０】実施の形態１の校正刷り制御装置の処理動作を示すフローチャートである。
【図１１】実施の形態１の校正刷り制御装置の処理動作を示すフローチャートである。
【図１２】実施の形態１の校正刷り制御装置の処理動作を示すフローチャートである。
【図１３】実施の形態１の校正刷り制御装置の処理動作を示すフローチャートである。
【図１４】実施の形態１の校正刷り制御装置の処理動作を示すフローチャートである。
【図１５】実施の形態１の校正刷り制御装置の処理動作を示すフローチャートである。
【図１６】実施の形態１の校正刷り制御装置の処理動作を示すフローチャートである。
【図１７】実施の形態１の校正刷り制御装置の処理動作を示すフローチャートである。
【図１８】実施の形態１の校正刷り制御装置の処理動作を示すフローチャートである。
【図１９】実施の形態１の校正刷り制御装置の処理動作を示すフローチャートである。
【図２０】実施の形態１の校正刷り制御装置の処理動作を示すフローチャートである。
【図２１】インキツボローラ制御装置の内部構成の概略を示すブロック図である。
【図２２】インキツボローラ制御装置の処理動作を示すフローチャートである。
【図２３】インキツボキー制御装置の内部構成の概略を示すブロック図である。
【図２４】インキツボキー制御装置の処理動作を示すフローチャートである。
【図２５】インキツボキー制御装置の処理動作を示すフローチャートである。
【図２６】実施の形態２の校正刷り制御装置におけるメモリの内容を分割して示す図である。
【図２７】実施の形態２の校正刷り制御装置におけるメモリの内容を分割して示す図である。
【図２８】実施の形態２の校正刷り制御装置の処理動作を示すフローチャートである。
【図２９】実施の形態２の校正刷り制御装置の処理動作を示すフローチャートである。
【図３０】実施の形態２の校正刷り制御装置の処理動作を示すフローチャートである。
【図３１】実施の形態２の校正刷り制御装置の処理動作を示すフローチャートである。
【図３２】実施の形態２の校正刷り制御装置の処理動作を示すフローチャートである。
【図３３】実施の形態２の校正刷り制御装置の処理動作を示すフローチャートである。
【図３４】実施の形態２の校正刷り制御装置の処理動作を示すフローチャートである。
【図３５】実施の形態２の校正刷り制御装置の処理動作を示すフローチャートである。
【図３６】実施の形態２の校正刷り制御装置の処理動作を示すフローチャートである。
【図３７】実施の形態２の校正刷り制御装置の処理動作を示すフローチャートである。
【図３８】実施の形態２の校正刷り制御装置の処理動作を示すフローチャートである。
【図３９】実施の形態２の校正刷り制御装置の処理動作を示すフローチャートである。
【図４０】実施の形態２の校正刷り制御装置の処理動作を示すフローチャートである。
【図４１】実施の形態２の校正刷り制御装置の処理動作を示すフローチャートである。
【図４２】輪転印刷機における各色の印刷ユニット内のインキ供給装置の要部を示す図である。
【図４３】印刷機により印刷された印刷物および校正刷りの概略を示す平面図である。
【符号の説明】
【０１０３】
１…インキツボ、２…インキ、３…インキツボローラ、４（４−１〜４−ｎ）…インキツボキー、５…インキ移しローラ、６…インキローラ群、７…刷版、８…版胴、９’…校正刷りサンプル、９−２…カラーバー、９ａ（９ａ１，９ａ２，９ａ３，９ａ４）…濃度測定用のパッチ、１０…校正刷り制御装置、１０Ａ…ＣＰＵ、１０Ｂ…ＲＡＭ、１０Ｃ…ＲＯＭ、１０Ｄ…入力装置、１０Ｇ…メモリ、１０Ｈ…測色計、ＳＷ１…校正刷りプリセットスイッチ、ＳＷ２…校正刷りスタートスイッチ、ＳＷ３…校正刷り再プリセットスイッチ、ＳＷ４…制御終了スイッチ、Ｍ１〜Ｍ２８…メモリ、１３（１３−１〜１３−ｍ）…印刷ユニット、１４（１４−１〜１４−ｍ）…インキ呼出し装置、１５（１５−１〜１５−ｍ）…インキツボローラ制御装置、１６（１６−１〜１６−ｎ）…インキツボキー制御装置。
【図１】
2007030348.tif 000003
【図２】
2007030348.tif 000004
【図３】
2007030348.tif 000005
【図４】
2007030348.tif 000006
【図５】
2007030348.tif 000007
【図６】
2007030348.tif 000008
【図７】
2007030348.tif 000009
【図８】
2007030348.tif 000010
【図９】
2007030348.tif 000011
【図１０】
2007030348.tif 000012
【図１１】
2007030348.tif 000013
【図１２】
2007030348.tif 000014
【図１３】
2007030348.tif 000015
【図１４】
2007030348.tif 000016
【図１５】
2007030348.tif 000017
【図１６】
2007030348.tif 000018
【図１７】
2007030348.tif 000019
【図１８】
2007030348.tif 000020
【図１９】
2007030348.tif 000021
【図２０】
2007030348.tif 000022
【図２１】
2007030348.tif 000023
【図２２】
2007030348.tif 000024
【図２３】
2007030348.tif 000025
【図２４】
2007030348.tif 000026
【図２５】
2007030348.tif 000027
【図２６】
2007030348.tif 000028
【図２７】
2007030348.tif 000029
【図２８】
2007030348.tif 000030
【図２９】
2007030348.tif 000031
【図３０】
2007030348.tif 000032
【図３１】
2007030348.tif 000033
【図３２】
2007030348.tif 000034
【図３３】
2007030348.tif 000035
【図３４】
2007030348.tif 000036
【図３５】
2007030348.tif 000037
【図３６】
2007030348.tif 000038
【図３７】
2007030348.tif 000039
【図３８】
2007030348.tif 000040
【図３９】
2007030348.tif 000041
【図４０】
2007030348.tif 000042
【図４１】
2007030348.tif 000043
【図４２】
2007030348.tif 000044
【図４３】
2007030348.tif 000045